(57)【要約】  無線通信ネットワークに関するフロントホールシステム（ＦＳ）は、複数のベースバンドユニット（ＢＢ）と、複数のベースバンドユニット（ＢＢ）に結合される少なくとも１つの無線機器制御モジュール（ＲＥＣ）と、少なくとも１つの物理アンテナポート（ＡＮＴ）に結合され、少なくとも１つのスレーブポート（Ｓ）及び少なくとも１つのマスターポート（Ｍ）が設けられた複数の無線機器モジュール（ＲＥ）とを備え、スレーブポート（Ｓ）は、無線機器制御モジュール（ＲＥＣ）のマスターポート（Ｍ）に、または別の無線機器モジュール（ＲＥ）のマスターポート（Ｍ）に結合され、無線機器モジュール（ＲＥ）のそれぞれは、アップリンクアンテナキャリアストリームを物理アンテナポート（ＡＮＴ）から受信し、受信したアップリンクアンテナキャリアストリームをそのスレーブポート（Ｓ）に伝送するように構成され、システム（ＦＳ）が別の無線機器モジュール（ＲＥ）に接続されるマスターポート（Ｍ）を有する場合、システム（ＦＳ）は、受信したアップリンクアンテナキャリアストリームを、当該マスターポート（Ｍ）から受信した少なくとも１つのアップリンクアンテナキャリアストリームと同期及び合体し、合体したアップリンクアンテナキャリアストリームを作成し、合体したアップリンクアンテナキャリアストリームをそのスレーブポート（Ｓ）に伝送するように構成され、無線機器モジュール（ＲＥ）のそれぞれは、少なくとも１つの物理アンテナポート（ＡＮＴ）に伝送するために、無線機器制御モジュール（ＲＥＣ）から、または別の無線機器モジュール（ＲＥ）から、そのスレーブポート（Ｓ）に、ダウンリンクアンテナキャリアストリームを受信するように構成され、無線機器モジュール（ＲＥ）が別の無線機器モジュール（ＲＥ）に接続されるマスターポート（Ｍ）を有する場合、無線機器モジュール（ＲＥ）はダウンリンクアンテナキャリアストリームの少なくとも一部をマスターポート（Ｍ）に転送するように構成される。【選択図】図１
2021508425.tif 000002
【特許請求の範囲】
【請求項１】
無線通信ネットワークに関するフロントホールシステム（ＦＳ）であって、
複数のベースバンドユニット（ＢＢ）と、
前記複数のベースバンドユニット（ＢＢ）に結合される少なくとも１つの無線機器制御モジュール（ＲＥＣ）と、
複数の無線機器モジュール（ＲＥ）であって、前記複数の無線機器モジュール（ＲＥ）のそれぞれは少なくとも１つの物理アンテナポート（ＡＮＴ）に結合され、前記無線機器モジュール（ＲＥ）のそれぞれは少なくとも１つのスレーブポート（Ｓ）及び少なくとも１つのマスターポート（Ｍ）を有する、複数の無線機器モジュール（ＲＥ）と、を含み、
前記無線機器モジュール（ＲＥ）のそれぞれの前記スレーブポート（Ｓ）は、前記無線機器制御モジュール（ＲＥＣ）のマスターポート（Ｍ）に、または別の無線機器モジュール（ＲＥ）のマスターポート（Ｍ）に結合され、
前記無線機器モジュール（ＲＥ）のそれぞれは、アップリンクアンテナキャリアストリームを前記少なくとも１つの対応する物理アンテナポート（ＡＮＴ）から受信し、前記受信したアップリンクアンテナキャリアストリームを前記スレーブポート（Ｓ）に伝送するように構成され、前記無線機器モジュール（ＲＥ）が少なくとも別の無線機器モジュール（ＲＥ）に接続される少なくとも１つのマスターポート（Ｍ）を有する場合、前記無線機器モジュール（ＲＥ）は、前記受信したアップリンクアンテナキャリアストリームを、前記マスターポート（Ｍ）から受信した少なくとも１つのアップリンクアンテナキャリアストリームと同期及び合体し、合体したアップリンクアンテナキャリアストリームを作成し、前記合体したアップリンクアンテナキャリアストリームを前記スレーブポート（Ｓ）に伝送するように構成され、
前記無線機器モジュール（ＲＥ）のそれぞれは、前記少なくとも１つの物理アンテナポート（ＡＮＴ）に伝送するために、前記無線機器制御モジュール（ＲＥＣ）から、または別の無線機器モジュール（ＲＥ）から、前記スレーブポート（Ｓ）に、ダウンリンクアンテナキャリアストリームを受信するように構成され、前記システム（ＦＳ）が前記少なくとも別の無線機器モジュール（ＲＥ）に接続される少なくとも１つのマスターポート（Ｍ）を有する場合、前記システム（ＦＳ）は前記ダウンリンクアンテナキャリアストリームの少なくとも一部を前記マスターポート（Ｍ）に転送するように構成される、システム（ＦＳ）。
【請求項２】
前記システム（ＦＳ）は、前記少なくとも１つの無線機器制御モジュール（ＲＥＣ）に及び前記複数の無線機器モジュール（ＲＥ）のそれぞれに結合され、前記アップリンクキャリアストリーム及びダウンリンクアンテナキャリアストリームを、前記少なくとも１つの無線機器制御モジュール（ＲＥＣ）及び前記無線機器モジュール（ＲＥ）に割り当てることを対処するように構成される、少なくとも１つのマッピングマネージャモジュール（ＭＡＰ）を備えることを特徴とする、請求項１に記載のシステム（ＦＳ）。
【請求項３】
前記無線機器モジュール（ＲＥ）の前記スレーブポート（Ｓ）及び前記マスターポート（Ｍ）はＣＰＲＩポートであることを特徴とする、請求項１〜２の１項以上に記載のシステム（ＦＳ）。
【請求項４】
前記マッピングマネージャモジュール（ＭＡＰ）は、複数のＣＰＲＩ接続によって、前記複数の無線機器モジュール（ＲＥ）のそれぞれと通信することを特徴とする、請求項３に記載のシステム（ＦＳ）。
【請求項５】
前記システム（ＦＳ）は複数のベースバンドユニット（ＢＢ）の各々に結合される複数の無線機器制御モジュール（ＲＥＣ）を備え、各無線機器制御モジュール（ＲＥＣ）は少なくとも１つの対応するダウンリンクアンテナキャリアストリームを送信するように構成されることを特徴とする、請求項１〜４の１項以上に記載のシステム（ＦＳ）。
【請求項６】
前記マッピングマネージャモジュール（ＭＡＰ）は、前記少なくとも１つの無線機器制御モジュール（ＲＥＣ）及び前記無線機器モジュール（ＲＥ）のそれぞれを動的に再構成するように構成されることを特徴とする、請求項１〜５の１項以上に記載のシステム（ＦＳ）。
【請求項７】
前記マッピングマネージャモジュール（ＭＡＰ）は、少なくとも１つの指定された物理アンテナポート（ＡＮＴ）に伝送するために、前記無線機器モジュール（ＲＥ）の少なくとも１つに、指定された対応するダウンリンクアンテナキャリアストリームを指定されたスレーブポート（Ｓ）から選択的に読み出すことを命令するように構成されることを特徴とする、請求項１〜６の１項以上に記載のシステム（ＦＳ）。
【請求項８】
前記マッピングマネージャモジュール（ＭＡＰ）は、前記無線機器モジュール（ＲＥ）の少なくとも１つに、指定されたダウンリンクアンテナキャリアを前記少なくとも１つの指定された対応するマスターポート（Ｍ）に転送することを命令するように構成されることを特徴とする、請求項１〜７の１項以上に記載のシステム（ＦＳ）。
【請求項９】
前記マッピングマネージャモジュール（ＭＡＰ）は、動的に、指定された無線機器モジュール（ＲＥ）に、前記少なくとも１つの物理アンテナポート（ＡＮＴ）から受信したアップリンクキャリアアンテナストリームを指定された複数のＣＰＲＩアップリンクアンテナキャリアストリームと同期及び合体することを命令するように構成されることを特徴とする、請求項１〜８の１項以上に記載のシステム（ＦＳ）。
【請求項１０】
無線通信フロントホールネットワーク内でアップリンクを制御するための方法（１００）であって、前記方法（１００）は、少なくとも、フロントホールシステム（ＦＳ）の無線機器モジュール（ＲＥ）によって実行される以下のステップ、
少なくとも１つのアップリンクサンプルストリームデータを、前記無線機器モジュール（ＲＥ）の少なくとも１つの物理アンテナポート（ＡＮＴ）から受信するステップと、
少なくとも１つのアップリンクアンテナキャリアストリームを、前記無線機器モジュール（ＲＥ）の少なくとも１つのマスターポート（Ｍ）から受信するステップと、
前記少なくとも１つのアップリンクアンテナキャリアストリームを前記少なくとも１つのアップリンクサンプルストリームデータと同期するステップと、
アップリンクアンテナキャリアデータブロックを前記少なくとも１つのアップリンクアンテナキャリアストリームから読み出すステップと、
前記同期したアップリンクアンテナキャリアデータブロックを、前記少なくとも１つのアップリンクサンプルストリームデータと一緒に合体し、合体したアップリンクアンテナキャリアデータブロックを作成するステップと、
前記合体したアップリンクアンテナキャリアデータブロックを合体したアップリンクアンテナキャリアストリームに割り当てるステップと、
前記合体したアップリンクアンテナキャリアストリームを、前記無線機器モジュール（ＲＥ）の少なくとも１つのスレーブポート（Ｓ）に伝送するステップと、
を含むことを特徴とする方法（１００）。
【請求項１１】
前記方法（１００）はアンテナキャリアマッピングを受信することを含むことを特徴とする、請求項１０に記載の方法（１００）。
【請求項１２】
前記受信するステップは、複数のアップリンクアンテナキャリアストリームをそれぞれ複数のＣＰＲＩマスターポートの１つから受信することを含み、前記アップリンクアンテナキャリアストリームのそれぞれは、複数の入力Ａ×Ｃコンテナを含み、前記入力Ａ×Ｃコンテナのそれぞれは、ＣＰＲＩフレーム内部で同一にマッピングされることを特徴とする、請求項１０〜１１の１項以上に記載の方法（１００）。
【請求項１３】
前記読み出すステップは、アップリンクアンテナキャリアデータブロックを前記Ａ×Ｃコンテナのそれぞれから読み出すことを含むことを特徴とする、請求項１２に記載の方法（１００）。
【請求項１４】
前記割り当てるステップは、前記合体したアップリンクアンテナキャリアデータブロックを合体したＡ×Ｃコンテナに割り当てることを含むことを特徴とする、請求項１３に記載の方法（１００）。
【請求項１５】
前記合体したアップリンクアンテナキャリアデータブロックを合体したＡ×Ｃコンテナに戻して割り当てる前記ステップは、対応するＡ×Ｃコンテナを、前記入力Ａ×Ｃコンテナが前記入力ＣＰＲＩフレームにマッピングされた同じ位置でＣＰＲＩフレーム内部にマッピングすることを含むことを特徴とする、請求項１４に記載の方法（１００）。
【請求項１６】
前記方法（１００）は、前記少なくとも１つのＣＰＲＩスレーブポートを動的に設計することを含むことを特徴とする、請求項１０〜１５の１項以上に記載の方法（１００）。
【請求項１７】
前記同期したアップリンクアンテナキャリアデータブロックを、前記少なくとも１つのアップリンクサンプルストリームデータと一緒に合体する前記ステップは、
前記同期したアップリンクアンテナキャリアデータブロックを合体し、部分的に合体したアップリンクアンテナキャリアデータブロックを作成することと、
前記部分的に合体したアップリンクアンテナキャリアデータブロックを、前記少なくとも１つのアップリンクサンプルストリームデータと合体することと、
を含むことを特徴とする、請求項１０〜１７の１項以上に記載の方法（１００）。
【請求項１８】
複数のアップリンクアンテナキャリアストリームをそれぞれ複数のＣＰＲＩマスターポートの１つから受信する前記ステップは、指定された複数のＣＰＲＩマスターポートを動的に選択することを含むことを特徴とする、請求項１０〜１８の１項以上に記載の方法（１００）。
【請求項１９】
無線通信フロントホールネットワーク内でダウンリンクを制御するための方法（２００）であって、前記方法（２００）は、少なくとも、フロントホールシステム（ＦＳ）の無線機器モジュール（ＲＥ）によって実行される以下のステップ、
アンテナキャリアマッピング命令を受信するステップであって、前記アンテナキャリアマッピング命令は複数のアンテナキャリア識別子を含む、受信するステップと、
第１のインバウンドデータストリームを前記無線機器モジュール（ＲＥ）の第１のスレーブポート（Ｓ）を介して受信するステップと、
前記第１のインバウンドデータストリームから、第１の指定されたアンテナキャリアストリームを読み出すステップと、
前記第１の指定されたキャリアアンテナストリームを複数の指定されたコモンキャリアアンテナストリームに割り当てるステップであって、前記複数の指定されたコモンキャリアアンテナストリームのそれぞれは前記複数のアンテナキャリア識別子の１つに対応する、割り当てるステップと、
を含むことを特徴とする、方法（２００）。
【請求項２０】
前記指定されたキャリアアンテナストリーム及び前記指定されたコモンキャリアアンテナストリームのそれぞれはＣＰＲＩアンテナキャリア（Ａ×Ｃ）を含むことを特徴とする、請求項１９に記載の方法（２００）。
【請求項２１】
前記方法（２００）は、さらに、以下のステップ、
第２のインバウンドデータストリームを前記無線機器モジュール（ＲＥ）の第２のスレーブポート（Ｓ）を介して受信するステップと、
前記第２のインバウンドデータストリームから、第２の指定されたアンテナキャリアストリームを読み出すステップと、
前記第２の指定されたアンテナキャリアストリームを前記第１の指定されたアンテナキャリアストリームにマージするステップと、
を含むことを特徴とする、請求項１９〜２０の１項以上に記載の方法（２００）。
【請求項２２】
前記方法（２００）は、前記取得したマージ済アンテナキャリアストリームを、前記無線機器モジュール（ＲＥ）の前記少なくとも１つのマスターポートＭに伝送することを特徴とする、請求項１９〜２１の１項以上に記載の方法（２００）。
【発明の詳細な説明】
【技術分野】
【０００１】
本発明は、無線通信ネットワークに関するフロントホールシステムに関する。
【背景技術】
【０００２】
通信の分野では、具体的には、フロントホール配備を参照して、ベースバンドユニット（ＢＢＵ）が専用光ケーブルリンクを経由してリモート無線ヘッド（ＲＲＨ）に接続されることが既知である。バンド及びオペレータの数に応じて、専用接続の数は、急激に増加する可能性があり、したがって、簡単な解決策は、ＣＡＰＥＸ（資本支出）及びＯＰＥＸ（営業費）の両方に関して良い選択になる場合がある。
【０００３】
現在の装置の制限は、各ベンダがそれ自体の独自の方法でカスタマイズするＣＰＲＩ（共通のパブリック無線インターフェース）プロトコルにあり、これにより、ダイレクトＢＢＵ−ＲＲＨインターフェースは他のベンダの機器にオープンではない。
【０００４】
さらに、独自のカスタマイズされたＣＰＲＩプロトコルの使用は、デジタルデータがほんのわずかな利用可能である帯域幅だけを占有するため、専用ファイバ接続の全潜在能力を活用していない。
【発明の概要】
【発明が解決しようとする課題】
【０００５】
本発明の主な目的は、最近考案された無線通信ネットワークに関するフロントホールシステムを提供することによって、現在の制限を克服することであり、当該フロントホールシステムは、フロントホールに必要なファイバの数を最適化することを可能にし、マルチキャストまたはブロードキャスト、冗長アーキテクチャ、及びマルチオペレータマルチバンドハードウェアシェアリング等の特徴を可能にする。
【課題を解決するための手段】
【０００６】
本発明は、
好ましくは、汎用ハードウェア上で起動するソフトウェアインスタンスによって実装される複数のベースステーションベースバンド（ＢＢＵ）と、
複数の相互接続点（ＰＯＩ）、または、概して、無線機器（ＲＥ）と、
ＢＢＵプール及びＲＥを接続するフロントホールデジタルネットワークと、を備える、無線通信システムから成る。
【０００７】
フロントホールネットワークは、ダウンリンク（ＤＬ）アンテナキャリアストリーム及びアップリンク（ＵＬ）アンテナキャリアストリーム、制御信号、及び同期信号を移送させる。
【０００８】
デジタルフロントホールネットワークは、ＣＰＲＩ、または例えば、オープンベースステーションアーキテクチャニシアティブ（ＯＢＳＡＩ）等の任意の他の標準的に活用する同期伝送プロトコルのいずれかに基づいて行われることができる。
【０００９】
好ましくは、本発明に従ったフロントホールネットワークは、カスタムＣＰＲＩプロトコル実装によって実施される。
【００１０】
本発明に従ったフロントホールネットワークは、
ＣＰＲＩフレームの特定の数のスロットを特定のデータストリームに確保し、これは、デジタルフレーム内の周知の位置のアンテナキャリアストリームをマッピングすることを可能にすることと、
１つ以上のＤＬキャリアアンテナストリームをＲＥに動的に割り当て、実際に、フレーム内側の正確なデータ場所を把握し、ＲＥが所望のストリームだけを獲得することが可能であることと、
２重に、特定のアンテナキャリアストリームに関連するＵＬ  ＲＦ信号は、特定のＲＥによって受信され、次に、ベースバンドへのダウン変換及びＡ／Ｄ変換の後に、フロントホールフレーム内のその各々のデジタルカウンタパートに追加されることができることと、
デジタルリンク内のＲＥと全てのベースバンドキャリアアンテナストリームとの間の関連付けのランタイムを再設定することと、
例えば、その帯域幅に応じて、異なるフロントホールデータ転送速度を各キャリアに確保することと、
複数のＲＥをカスケード接続にし、アンテナキャリアストリームを追加する／転送することと、
特定キャリアを利用する全てのＲＥの間で同じアンテナキャリアストリームのＤＬ伝送を同期し、これにより、明確に定義された時刻に関連する全てのデータは、正確な時間に送信し始めることと、
同じアンテナキャリアストリームを活用する連結したＲＥのデータ転送に起因するＵＬ遅延を補償することと、を可能にする。
【００１１】
上記に言及した目的は、請求項１に記載の特徴に従った無線通信ネットワークに関する本発明のフロントホールシステムによって達成される。
【００１２】
さらに、上記に言及した目的は、請求項１０に記載の特徴に従った無線通信フロントホールネットワーク内のアップリンクを制御するための本発明の方法によって達成される。
【００１３】
さらに、上記に言及した目的は、請求項１９に記載の特徴に従った無線通信フロントホールネットワーク内のダウンリンクを制御するための本発明の方法によって達成される。
【００１４】
本発明の他の特徴及び利点は、添付図の例示的であるが非限定的な例によって、無線通信ネットワークに関するフロントホールシステムの好ましいが非排他的な実施形態の説明から良好に明らかになる。
【図面の簡単な説明】
【００１５】
【図１】本発明による、フロントホールシステムの可能性のある第１の実施形態を示す。
【図２】本発明による、フロントホールシステムの可能性のある第２の実施形態を示す。
【図３】本発明による、無線機器モジュールのブロック図である。
【図４】無線通信フロントホールネットワーク内でアップリンクを制御するための本発明に従った方法のブロック図を示す。
【図５】無線通信フロントホールネットワーク内でダウンリンクを制御するための本発明に従った方法のブロック図を示す。
【発明を実施するための形態】
【００１６】
特に係る例証図を参照して、無線通信ネットワークに関するフロントホールシステムが、ＦＳを参照してグローバルに示される。
【００１７】
フロントホールシステムＦＳは、
複数のベースバンドユニットＢＢと、
複数のベースバンドユニットＢＢに結合される少なくとも１つの無線機器制御モジュールと、
複数の無線機器モジュールＲＥであって、複数の無線機器モジュールＲＥのそれぞれは少なくとも１つの物理アンテナポートＡＮＴに結合される、複数の無線機器モジュールＲＥと、を備える。
【００１８】
さらに、無線機器モジュールＲＥのそれぞれは、少なくとも１つのスレーブポートＳ及び少なくとも１つのマスターポートＭを有し、無線機器モジュールＲＥのそれぞれのスレーブポートＳは、無線機器制御モジュールＲＥＣのマスターポートＭに、または別の無線機器モジュールＲＥのマスターポートＭに結合される。
【００１９】
したがって、複数の無線機器モジュールＲＥの第１のサブセットは、少なくとも１つの無線機器制御モジュールＲＥＣに直接結合され、無線機器モジュールＲＥの第２のサブセットは、１つ以上の他の無線機器モジュールＲＥを経由して少なくとも１つの無線機器制御モジュールＲＥＣに間接的に結合される。
【００２０】
図１は、本発明による、フロントホールシステムＦＳの第１の可能性がある及び簡略化された実施形態を示し、本システムは、１つの無線機器制御モジュールＲＥＣと、複数の無線機器モジュールＲＥ１、ＲＥ２、ＲＥ３、ＲＥ４とを備える。具体的には、第１の無線機器モジュールＲＥ１は無線機器制御モジュールＲＥＣに直接接続され、第２の無線機器モジュールＲＥ２及び第３の無線機器モジュールＲＥ３は第１の無線機器モジュールＲＥ１に接続され、さらなる第４の無線機器モジュールＲＥ４は第３の無線機器モジュールＲＥ３に接続される。
【００２１】
本発明に従ったシステムＦＳは、複数のベースバンドユニットＢＢの各々に結合される複数の無線機器制御モジュールＲＥＣを備え、各無線機器制御モジュールＲＥＣは少なくとも１つの対応するダウンリンクアンテナキャリアストリームを送信するように構成される。
【００２２】
例として、図２は、本発明による、フロントホールシステムＦＳの第２の可能性がある実施形態を示し、本システムは、各々のベースバンドユニットＢＢ１及びＢＢ２に結合される２つの異なる無線機器制御モジュールＲＥＣ１、ＲＥＣ２と、複数の無線機器モジュールＲＥ１、ＲＥ２、ＲＥ３、ＲＥ４、ＲＥ５、ＲＥ６、ＲＥ７とを備える。具体的には、この可能性のある実施形態に従って、第１の無線機器モジュールＲＥ１は第１の無線機器制御モジュールＲＥＣ１に直接接続され、第２の無線機器モジュールＲＥ２及び第３の無線機器モジュールＲＥ３は第１の無線機器モジュールＲＥ１に接続され、さらなる第４の無線機器モジュールＲＥ４は第３の無線機器モジュールＲＥ３に接続される。さらに、第５の無線機器モジュールＲＥ５は第２の無線機器制御モジュールＲＥＣ２に直接接続され、第６の無線機器モジュールＲＥ６及び第７の無線機器モジュールＲＥ７は第５の無線機器モジュールＲＥ５に接続される。
【００２３】
異なる数の及び異なる構成の無線機器制御モジュールＲＥＣ及び無線機器モジュールＲＥを伴うフロントホールシステムＦＳのさらに異なる実施形態は、除外されない。
【００２４】
デジタルフロントホールシステムＦＳは、ＣＰＲＩ、または例えば、オープンベースステーションアーキテクチャニシアティブ（ＯＢＳＡＩ）等の任意の他の標準的に活用する同期伝送プロトコルのいずれかに基づいて行われることができる。
【００２５】
好ましくは、フロントホールシステムＦＳは、カスタムＣＰＲＩプロトコル実装によって実施される。
【００２６】
具体的には、無線機器モジュールＲＥのそれぞれは、アップリンクアンテナキャリアストリームを、その少なくとも１つの対応する物理アンテナポートＡＮＴのそれぞれから受信し、受信したアップリンクアンテナキャリアストリームをそのＣＰＲＩスレーブポートＳに伝送するように構成される。
【００２７】
無線機器モジュールＲＥが少なくとも別の無線機器モジュールＲＥに接続される少なくとも１つのマスターポートＭを有する場合、当該無線機器モジュールＲＥは、合体したアップリンクアンテナキャリアストリームを作成するために、受信したアップリンクアンテナキャリアストリームを、ＣＰＲＩマスターポートＭから受信した少なくとも１つのＣＰＲＩアップリンクアンテナキャリアストリームと同期及び合体するように構成され、また、合体したアップリンクアンテナキャリアストリームをそのＣＰＲＩスレーブポートＳに伝送するように構成される。
【００２８】
さらに、無線機器モジュールＲＥのそれぞれは、少なくとも１つの物理アンテナポートＡＮＴに伝送するために、無線機器制御モジュールＲＥＣから、または別の無線機器モジュールＲＥから、そのＣＰＲＩスレーブポートＳまでのダウンリンクアンテナキャリアストリームを受信するように構成される。
【００２９】
無線機器モジュールＲＥが少なくとも別の無線機器モジュールＲＥに接続される少なくとも１つのマスターポートＭを有する場合、無線機器モジュールＲＥは、ダウンリンクアンテナキャリアストリームの少なくとも一部をＣＰＲＩマスターポートＭに転送するように構成される。
【００３０】
好ましくは、無線機器モジュールＲＥのスレーブポートＳ及びマスターポートＭはＣＰＲＩポートである。しかしながら、異なる実施形態は除外されない。
【００３１】
本発明に従ったシステムＦＳは、また、少なくとも１つの無線機器制御モジュールＲＥＣに及び複数の無線機器モジュールＲＥのそれぞれに結合される少なくとも１つのマッピングマネージャモジュールＭＡＰを備える。
【００３２】
マッピングマネージャモジュールＭＡＰは、アップリンクアンテナキャリアストリーム及びダウンリンクアンテナキャリアストリームを、１つ以上の無線機器制御モジュールＲＥＣに及び無線機器モジュールＲＥに割り当てることを対処するように構成される。
【００３３】
具体的には、１つのアンテナキャリアストリームのダウンリンクＩＱデータは、ただ１つの無線機器制御モジュールＲＥＣの内部で発生するはずであり、無線機器モジュールＲＥの少なくとも１つによって受信されるはずであり、アップリンクＩＱデータは、同じ無線機器モジュールＲＥによって発生され、同じ無線機器制御モジュールＲＥＣに送信されるはずである。
【００３４】
マッピングマネージャモジュールＭＡＰは、無線機器制御モジュールＲＥＣ内部で統合されることができる。
【００３５】
好ましくは、マッピングマネージャモジュールＭＡＰは、複数のＣＰＲＩ接続によって、複数の無線機器モジュール（ＲＥ）のそれぞれと通信する。
【００３６】
例えば、接続は、イーサネット（登録商標）プロトコルを実装するＣＰＲＩ高速Ｃ＆Ｍリンクを介して、またはＨＤＬＣプロトコルを実装するＣＰＲＩ低速Ｃ＆Ｍリンクを介して、実現されることができる。
【００３７】
代替として、マッピングマネージャは、カスタムプロトコルを実装するＣＰＲＩベンダ特定チャネルを介して、複数の無線機器モジュールＲＥのそれぞれと通信することができる。
【００３８】
マッピングマネージャモジュールＭＡＰは、無線機器制御モジュールＲＥＣ及び無線機器モジュールＲＥのそれぞれを動的に再構成するように構成される。
【００３９】
具体的には、マッピングマネージャモジュールＭＡＰは、少なくとも１つの指定された物理アンテナポートＡＮＴに伝送するために、無線機器モジュールＲＥの少なくとも１つに、指定された対応するダウンリンクアンテナキャリアストリームを指定されたＣＰＲＩスレーブポートＳから選択的に読み出すことを命令するように構成される。
【００４０】
さらに、マッピングマネージャモジュールＭＡＰは、無線機器モジュールＲＥの少なくとも１つに、指定されたダウンリンクアンテナキャリアを少なくとも１つの指定された対応するＣＰＲＩマスターポートＭに転送することを命令するように構成される。
【００４１】
具体的には、マッピングマネージャモジュールＭＡＰは、入力ＣＰＲＩ基本フレームに使用される１つの基本フレーム内部に同じＡ×Ｃコンテナマッピングを使用して、１つ以上の無線機器モジュールＲＥに、入力ダウンリンクアンテナキャリアを１つ以上の指定されたＣＰＲＩポート上に転送することを命令するように構成され得る。
【００４２】
さらに、マッピングマネージャモジュールＭＡＰは、動的に、指定された無線機器モジュール（ＲＥ）に、少なくとも１つの物理アンテナポートＡＮＴから受信したアップリンクキャリアアンテナストリームを指定された複数のＣＰＲＩアップリンクアンテナキャリアストリームと同期及び合体することを命令するように構成される。指定されたアップリンクアンテナキャリアストリームは、指定されたＣＰＲＩアンテナキャリア（Ａ×Ｃ）を含む。
【００４３】
システムＦＳ内の無線機器制御モジュールＲＥＣ及び無線機器モジュールＲＥは、ＣＰＲＩプロトコルの異なるコンポーネント、すなわち、制御及び管理データ（図３のＣＭデータ）、同期（図３の同期データ）、及び有用な情報を含有する実際のＩＱデータ（図３のＵデータ）を管理するはずである。
【００４４】
具体的には、各無線機器モジュールＲＥは、無線機器モジュールＲＥの各スレーブポートＳ及び各マスターポートＭに接続され、全てのＣＰＲＩスレーブポートＳから来るダウンリンク同期データフローをマージし、マージした同期データを全てのＣＰＲＩマスターポートＭ及び全てのエアインターフェースＡＮＴに向かって送信するように構成される、少なくとも１つの同期／調整モジュールを備える。同期／調整モジュールは、また、ＣＰＲＩマスターポートＭから及びエアインターフェースＡＮＴから来る同期データフローを１つの同期データフローにマージし、当該ストリームをＣＰＲＩスレーブポートＳに送信するように構成される。
【００４５】
さらに、各無線機器モジュールＲＥは、無線機器モジュールＲＥの各スレーブポートＳ及び各マスターポートＭに接続され、ＣＭデータフローを運ぶデータパケットを切り替えるように構成される少なくとも１つのＣＭスイッチを備える。
【００４６】
さらに、各無線機器モジュールＲＥは、無線機器モジュールＲＥの各スレーブポートＳ及び各マスターポートＭに接続され、全てのＣＰＲＩスレーブポートＳから来るダウンリンクＵデータフローをマージし、マージしたＵデータを全てのＣＰＲＩマスターポートＭ及び全てのエアインターフェースＡＮＴに向かって送信するように構成される、少なくとも１つのマージ／分割モジュールを備える。マージ／分割モジュールは、さらに、ＣＰＲＩマスターポートＭから及びエアインターフェースＡＮＴから来る同期データフローを１つのＵデータフローにマージし、当該フローをＣＰＲＩスレーブポートＳに送信するように構成される。
【００４７】
さらに、マッパ／デマッパ（すなわち、多重通信回路／デマルチプレクサ回路）を伴う無線機器制御モジュールＲＥＣ及び無線機器モジュールＲＥは、プログラム可能な方法で、アンテナキャリアサンプルをＣＰＲＩフレームにマッピングするように構成され得る。
【００４８】
例として、図３は、ＩＱサンプリング処理及び無線インターフェース（ＣＰＲＩ／ＡＮＴインターフェース）のためのそのローカル回路を含む、本発明に従った可能性がある無線機器モジュールＲＥのブロック図を示す。
【００４９】
図３を参照すると、同じノード上の全てのＣＰＲＩスレーブポートＳａ、Ｓｂから来るダウンリンク同期データフローは、同期／調整モジュールによって１つの同期データフローにマージされ、全てのＣＰＲＩマスターポートＭａ、Ｍｂに、サービスアクセスポイントＳＡＰＳに、及びエアインターフェースＡＮＴａ、ＡＮＴｂに向かって送信される。
【００５０】
逆に、アップリンクでは、ＣＰＲＩマスターポートＭａ、Ｍｂから及び同じノード上のエアインターフェースＡＮＴａ、ＡＮＴｂから来るサービスアクセスポイントＳＡＰＳは、同期／調整モジュールによって１つのＳＡＰＳにマージされ、ＣＰＲＩスレーブポートＳａ、Ｓｂに送信される。
【００５１】
ＩＱデータの場合、ダウンリンクでは、同じノード上のＣＰＲＩスレーブポートＳａ、Ｓｂから来るＵデータフローは、マージ／分割モジュールによって１つのＵデータフローにマージされ、ＣＰＲＩマスターポートＭａ、ＭｂのＳＡＰＩＱに及びエアインターフェースＡＮＴａ、ＡＮＴｂに向かって送信される。
【００５２】
アップリンクでは、ＣＰＲＩマスターポートＭａ、Ｍｂから及び同じノード上のエアインターフェースＡＮＴａ、ＡＮＴｂから来るＳＡＰＩＱは、１つのＳＡＰＩＱにマージされ、ＣＰＲＩスレーブポートＳａ、Ｓｂに送信される。
【００５３】
さらに、ＣＭデータトラフィックは、無線機器モジュールＲＥの各スレーブポートＳ及び各マスターポートＭに接続されるＣＭスイッチによって、パケットを切り替えることによって管理される。
【００５４】
以下では、無線通信フロントホールシステム内のアップリンクプロセスを制御するための方法１００が開示される。具体的には、方法１００は、アップリンクＩＱデータを処理するために使用される。
【００５５】
方法１００は、また、図４に概略的に示される。
【００５６】
方法１００は、本発明による、無線通信フロントホールシステムＦＳの無線機器モジュールＲＥのそれぞれによって実施されることができる。
【００５７】
まず、方法１００は、アンテナキャリアマッピングをマッピングマネージャＭＡＰから受信すること（ステップ１０１）を含む。具体的には、マッピングマネージャＭＡＰは、ＣＰＲＩフレーム内部の特定のキャリアアンテナストリームの場所に関する全ての情報を提供する。
【００５８】
方法１００は、
少なくとも１つのアップリンクサンプルストリームデータ（ＩＱデータ）を、少なくとも１つの物理アンテナポートＡＮＴから受信すること（ステップ１０２）と、
最終的に、別のリモートユニットＲＥがマスターポートＭに接続される場合、少なくとも１つのアップリンクアンテナキャリアストリームを少なくとも１つのＣＰＲＩマスターポートＭから受信すること（ステップ１０３）と、を含む。
【００５９】
したがって、無線機器モジュールＲＥは、アンテナストリームデータをそのアンテナポートＡＮＴから受信し、同様に、任意の入力アップリンクＣＰＲＩデータを他のアップリンク無線機器モジュールＲＥから受信する。
【００６０】
具体的には、複数のマスターポートＭの場合、方法１００はＣＰＲＩマスターポートＭの１つから、それぞれ、複数のアップリンクアンテナキャリアストリームを受信することを含み、アップリンクアンテナキャリアストリームのそれぞれは、複数の入力Ａ×Ｃコンテナを含む。さらに、複数のマスターポートの場合、方法１００は、指定された複数のＣＰＲＩマスターポートＭを動的に選択することを含む。
【００６１】
方法１００は、さらに、アップリンクアンテナキャリアストリームをアップリンクサンプルストリームデータと同期させること（ステップ１０４）を含む。
【００６２】
続いて、方法１００は、アップリンクアンテナキャリアデータブロック（ＩＱデータ）をアップリンクアンテナキャリアストリームから読み出すことと、同期したアップリンクアンテナキャリアデータブロックを物理アンテナポートＡＮＴからのアップリンクサンプルストリームと一緒に合体し、合体したアップリンクアンテナキャリアデータブロックを作成することと（ステップ１０５〜１０８）を含む。
【００６３】
具体的には、アップリンクアンテナキャリアデータブロックをＡ×Ｃコンテナのそれぞれから読み出すことが実行される。
【００６４】
さらに、当該同期したアップリンクアンテナキャリアデータブロックを物理アンテナポートＡＮＴからの当該少なくとも１つのアップリンクサンプルストリームと一緒に合体するステップは、
−マッピングマネージャモジュールＭＡＰが単一セクターに関連するとして複数のアンテナキャリアストリームを設計する場合、及び共通セクターの任意の入力アンテナキャリアストリームが存在する場合（ステップ１０５）、同期したアップリンクアンテナキャリアデータブロックを合体し、部分的に合体したアップリンクアンテナキャリアデータブロックを作成すること（ステップ１０６）と、
−少なくとも１つのアンテナポートＡＮＴからのアンテナストリームが共通セクターの一部として指定される場合（ステップ１０７）、部分的に合体したアップリンクアンテナキャリアデータを少なくとも１つのアップリンクサンプルストリームデータと合体すること（ステップ１０８）と、
を含む。
【００６５】
次に、方法１００は、合体したアップリンクアンテナキャリアデータブロック（ＩＱデータ）を合体したアップリンクアンテナキャリアストリームに割り当てること（ステップ１０９及び１１０）を含む。
【００６６】
具体的には、割り当てるステップは、
−合体したアップリンクアンテナキャリアデータブロックを合体したＡ×Ｃコンテナに割り当てることと、
−対応するＡ×Ｃコンテナを、入力Ａ×Ｃコンテナが入力ＣＰＲＩフレーム内にマッピングされた同じ位置でＣＰＲＩフレーム内部にマッピングすることを含むことと、
を含む。
【００６７】
さらに、方法１００は、合体したアップリンクアンテナキャリアストリームを少なくとも１つのＣＰＲＩスレーブポートＳに伝送すること（ステップ１１１）を含む。
【００６８】
具体的には、方法１００に従って、複数のＣＰＲＩスレーブポートＳは、動的に指定されることができる。
【００６９】
以下では、無線通信フロントホールシステム内のダウンリンクプロセスを制御するための方法２００が開示される。方法２００は、また、図５に概略的に示される。
【００７０】
まず、方法２００は、アンテナキャリアマッピング命令をマッピングマネージャモジュールＭＡＰから受信すること（ステップ２０１）を含み、アンテナキャリアマッピング命令は、複数のアンテナストリーム識別子を含む。
【００７１】
さらに、方法２００は、以下のステップ、
−第１のインバウンドＣＰＲＩデータストリームを第１のＣＰＲＩスレーブポートＳを介して受信するステップ（ステップ２０２）と、
−当該第１のインバウンドＣＰＲＩデータストリームから、第１の指定されたアンテナキャリアストリームを読み出すステップと、
−当該第１の指定されたキャリアアンテナストリームを複数の指定されたコモンキャリアアンテナストリームに割り当てるステップであって、複数の指定されたコモンキャリアアンテナストリームのそれぞれは複数のアンテナキャリア識別子の１つに対応する、割り当てるステップと、を含む。
【００７２】
具体的には、指定されたキャリアアンテナストリーム及び当該指定されたコモンキャリアアンテナストリームのそれぞれはＣＰＲＩアンテナキャリア（Ａ×Ｃ）を含む。
【００７３】
方法２００は、さらに、以下のステップ、
−第２のインバウンドＣＰＲＩデータストリームを第２のＣＰＲＩスレーブポートを介して受信するステップ（ステップ２０２）と、
−第２のインバウンドＣＰＲＩデータストリームから、第２の指定されたアンテナキャリアストリームを読み出すステップと、
−第２の指定されたアンテナキャリアストリームを当該第１の指定されたアンテナキャリアストリームにマージするステップ（ステップ２０４及び２０５）と、を含む。
【００７４】
したがって、２つ以上の入力キャリアアンテナストリームが単一アンテナキャリアを対象とするフレームを有する場合、信号を合体する。
【００７５】
マージステップの前に、方法２００は、好ましくは、入力するフレームを同期するステップを含む（ステップ２０３）。
【００７６】
さらに、方法２００は、ローカルアンテナキャリアストリームをＣＰＲＩデータからデマッピングするステップ（ステップ２０６）と、同期情報を伝送するためにアンテナポートのいずれかに中継するステップ（ステップ２０７）とを含む。
【００７７】
したがって、行き先のアンテナキャリアストリームのいずれかが特定の無線機器モジュールＲＥに対してローカルにある場合、特定データはストリップアウトされ、特定のアンテナポートＡＮＴに中継される。
【００７８】
最後に、方法２００は、取得したＣＰＲＩストリームを、無線機器モジュールＲＥの少なくとも１つのマスターポートＭに伝送することを含む（ステップ２０８）。
【００７９】
実際には、説明される本発明は、意図された目的を達成していることが観察されている。
【００８０】
具体的には、本発明に従ったフロントホールシステムは、
ＣＰＲＩフレーム内に、その帯域幅上で制約がないいくつかの任意のアンテナキャリアストリームを挿入することと、
ＣＰＲＩシステムの動的な及びカスタムの切り替え能力を設定し、これにより、各無線機器モジュールＲＥは、独立して、アンテナキャリアデジタルデータサンプルを、（ダウンリンクで）獲得することができる、または（アップリンクで）差し出すことができることと、
ユニキャスト、マルチキャスト、またはブロードキャストのアンテナキャリアデータフローが、ＣＰＲＩフロントホールを経由することを可能にすることと、
サービス遮断がないオンザフライを再構成することと、
連結におけるいくつかのＲＥに起因してダウンリンク及びアップリンクの全ての遅延を補償することと（カスケード接続のＲＥの数に制限がなく、その数はシステムによって使用される技術（例えば、ＬＴＥ、３Ｇ、２Ｇ等）に依存する）、
アンテナコネクタにおける同じ受信の瞬間に関連する同期したアップリンクサンプルを合体し、したがって、フロントホールトラフィックを下げることと、を可能にする。
【００８１】
さらに、本発明に従ったシステムは、全ての上記の目的に到達することを可能にし、全てのデバイスの間で時間同期を維持する。
【図１】
2021508425.tif 000003
【図２】
2021508425.tif 000004
【図３】
2021508425.tif 000005
【図４】
2021508425.tif 000006
【図５】
2021508425.tif 000007
【国際調査報告】
2021508425.tif 000008
2021508425.tif 000009
2021508425.tif 000010